(57)【要約】【課題】ワカサギなどの小魚釣りにおいて、小さな餌を釣り針に付ける餌付け用補助具を提供すること。【解決手段】小さな釣り餌を小さな釣り針に簡単に取り付けるために、まずピンセットなどで釣り餌６を釣り餌６の形態に合わせた窪みを有する受け皿２cに置き、受け皿２cの上に設けられた蓋４で固定する。次に蓋４および本体の受け皿２cに設けられた切り欠き溝２dを通して、釣り針用ピンセット８などで釣り針５を釣り餌６に刺し通す。然る後、釣り餌６を付けた状態の釣り針５と共に蓋４を開き古い釣り餌７を蓋４に設けられた突起４eに引っ掛ける様にしながら釣り針５を外す事で釣り針５に新しい釣り餌６を付け同時に古い釣り餌７を削ぎ落とす。【選択図】                図６
2011000011.tif 000002
【特許請求の範囲】
【請求項１】
釣り餌の大きさや形状に合わせて取り替え可能な、蓋付き受け皿に釣り針を通す切り欠き溝を有する釣り用餌つけ器。
【発明の詳細な説明】
【技術分野】
【０００１】
本発明は、釣り針に釣り餌を保持する用具に係わり、釣り餌の形状に合わせた釣り用餌つけ器である。
【背景技術】
【０００２】
ワカサギ釣りなどにおいて、釣り糸に付けられた小さな釣り針に小さな釣り餌を付ける作業は甚だ面倒であり、冬場はなお困難である。また先行する釣り餌付け用補助具においては釣り針に残存した古い釣り餌を取り除くのは難しい。
【先行技術文献】
【特許文献】
【０００３】
【特許文献１】特開平１０−１７８９７１
【発明の概要】
【発明が解決しようとする課題】
【０００４】
先行技術においては、洗濯ばさみ様の構造を用いて釣り針を固定し、ペンチ様の釣り餌つかみにて釣り餌を釣り針に付ける方式を用いている。この構造では釣り針に残存した古い釣り餌を取り除く事は難しい。
【課題を解決するための手段】
【０００５】
本発明に係る釣り用餌つけ器は、釣り餌の形状に合わせた窪みを、器とその蓋で構成する。ただし、特に小さな釣り餌等、釣り餌の形状によっては蓋に窪みをつける必要はない。
【０００６】
その器と蓋には釣り針を通すにおいて、ぎりぎりの幅を有する切り欠き溝を設ける。
【０００７】
器に設けられた窪みよりも深い切り欠き溝は釣り餌を貫いた釣り針の針先を釣り餌から貫き通すために設けられる。
【０００８】
蓋に設けられた切り欠き溝は釣り針の針先と古い釣り餌よりも鉤元方向の部分との２カ所から通すことで針の方向を釣り餌を貫く方向に安定させるとともに古い釣り餌を削ぎ取るために設けられる。
【発明の効果】
【０００９】
本発明によれば、古い釣り餌を簡単に削ぎ落とし、新しい釣り餌を釣り針に簡単に付けることができる。特にワカサギ釣りの場合のように、冬期の寒冷な環境での釣り餌付けにきわめて有用である。
【図面の簡単な説明】
【００１０】
【図１】本発明の全体図となる、釣り餌４個の場合の斜視図
【図２】差し替え可能な本体を釣り用餌箱などに取り付けるための基礎となる差し替え用基礎部の斜視図
【図３】釣り餌の形状に合わせた、釣り餌４個の場合の差し替え可能な本体の斜視図
【図４】本体の窪みごとに蓋を取り付けるための棒の斜視図
【図５】本体の窪みごとに独立した、釣り餌４個の場合の蓋の斜視図
【図６】釣り針に釣り餌を取り付ける為の説明図で蓋を閉めた状態の斜視図
【図７】釣り針に釣り餌を取り付ける為の説明図で蓋を閉めた状態の正面図
【図８】釣り針に釣り餌を取り付ける為の説明図で蓋を開けた状態の正面図
【発明を実施するための形態】
【００１１】
多様な形状の釣り餌それぞれに合わせた形状の、かつ必要な釣り針数に合わせた数の窪みを有する本体を、釣り用餌箱等に取り付けるための基礎となる差し替え用基礎部に装着し、棒で蓋を本体に取り付ける。
【００１２】
本体には釣り餌を置くための窪みと、窪みごとに釣り針を通すための幅を有する切り欠き溝を設ける。またそれぞれの蓋にも、窪みの切り通し溝に合わせた、釣り針を通すための幅を有する切り欠き溝を設ける。
【００１３】
更にこの蓋には釣り餌の大きさ等によっては釣り餌に合わせた窪みを設ける。
【実施例１】
【００１４】
添付図面の図４の蓋を取り付けるための棒を図３の本体の棒通し用穴２ｂと図５の蓋の棒通し用穴４ｂを交互に貫く事で、図３の本体に図５の蓋を取り付ける。
【００１５】
次に図２の差し替え用基礎部の突起１aに図３の本体の溝２aを合わせるように図３の本体を図２の差し替え用基礎部に差し込み、図１の様に組み立てた状態で使用する。
【００１６】
釣り餌６を釣り針５に取り付けるには、まずピンセットなどで餌置き用窪み２cに釣り餌６を置き、逃げ出し防止と位置決めのために蓋４を閉める。
【００１７】
次に図７矢印Ａの方向に釣り針５を蓋４に設けられた切り通し溝４dを通して釣り餌６に刺し通す。
【００１８】
更に図７矢印Ｂの方向に蓋４を開けて釣り餌６が付いた釣り針５を取り出す。この時釣り針５に不要な古い釣り餌の残骸７が付着している場合は図８矢印Ｃの方向に釣り針５を抜き取る事で、蓋４の先端部突起４eと切り通し溝４dによって不要な古い釣り餌の残骸７は削ぎ取られる。        
【産業上の利用可能性】
【００１９】
以上、説明したように、本発明は、新旧釣り餌の付け換え作業性を良くする効果を有し、寒冷時などに小さな釣り餌を小さな釣り針に簡単に取り付ける釣り用餌つけ補助器として有用である。
【符号の説明】
【００２０】
１    差し替え用基礎部
１a   差し替え用基礎部の突起
１b   差し替え用基礎部のねじ止め穴
１c   差し替え用基礎部の餌箱等への接着面
２    差し替え可能な本体
２a   本体に設けられた溝
２b   本体に設けられた棒通し用穴
２c   本体に設けられた餌置き用窪み
２d   本体に設けられた切り通し溝
３    本体に蓋を取り付けるための棒
４    蓋
４b   蓋に設けられた棒通し用穴
４c   蓋に設けられた餌置き用窪み
４d   蓋に設けられた切り通し溝
４e   蓋の先端部突起
５    釣り針
６    釣り餌
７    餌の残骸
Ａ    釣り針を餌に指す方向
Ｂ    蓋を開ける方向
Ｃ    不要な餌の残骸を削ぎ取りながら釣り針を釣り用餌付け器から離す方向
【図１】
2011000011.tif 000003
【図２】
2011000011.tif 000004
【図３】
2011000011.tif 000005
【図４】
2011000011.tif 000006
【図５】
2011000011.tif 000007
【図６】
2011000011.tif 000008
【図７】
2011000011.tif 000009
【図８】
2011000011.tif 000010
【手続補正書】
【提出日】平成21年11月4日(2009.11.4)
【手続補正１】
【補正対象書類名】特許請求の範囲
【補正対象項目名】請求項１
【補正方法】変更
【補正の内容】
【請求項１】
ワカサギ釣りにおいて、ワカサギ用釣り餌であるサシや赤虫などの大きさや形状に合わせて［削除］作られた、釣り餌用受け皿としての餌置き用の窪みに生きている釣り餌を１匹ずつ保持できる、釣り用餌付け補助具の本体部分を複数個順次に差し替え用基礎部へ差し替えて使用することで、寒冷時においても、同種の釣り餌の新旧変更であっても異なる種類の釣り餌への変更であっても迅速に取り替え可能な、釣り針に釣り餌を付け蓋を開けて釣り餌を取り出すときに切り通し溝により釣り針に付着した古い釣り餌を簡単に削ぎ取る機能を有する蓋［削除］と釣り餌用受け皿に釣り餌を釣り針で刺し通すための釣り針を通す切り［削除］通し溝を有する、釣り用餌［削除］付け［削除］補助具。
【手続補正３】
【補正対象書類名】明細書
【補正対象項目名】０００１
【補正方法】変更
【補正の内容】
【０００１】
本発明は、釣り針に釣り餌を保持する容具に係わり、ワカサギ用の釣り餌６の形状に合わせた釣り用餌［削除］付け［削除］補助具である。
【手続補正４】
【補正対象書類名】明細書
【補正対象項目名】０００２
【補正方法】変更
【補正の内容】
【０００２】
ワカサギ釣り［削除］において、釣り糸に付けられた小さな釣り針５にワカサギ釣り用サシ、ラビット、赤虫等の小さな釣り餌６を１匹ずつ付ける作業は甚だ面倒であり、冬場はなお困難である。また先行する釣り用餌付け［削除］補助具においては釣り針５に残存した古い釣り餌の残骸７を取り除くのは難しい。
【手続補正５】
【補正対象書類名】明細書
【補正対象項目名】０００４
【補正方法】変更
【補正の内容】
【０００４】
先行技術においては、洗濯ばさみ様の構造を用いて釣り針を固定し、ペンチ様の釣り餌つかみにて釣り餌を釣り針に付ける方式を用いている。この構造では釣り針に残存した古い釣り餌を取り除く事は難しい。ワカサギ釣りに用いる小型の生き餌を効率よく簡単に釣り針に取り付ける方法は見当たらない。
【手続補正６】
【補正対象書類名】明細書
【補正対象項目名】０００５
【補正方法】変更
【補正の内容】
【０００５】
本発明に係る釣り用餌［削除］付け補助具の器は、釣り餌６の形状に合わせた窪み２ｃと４ｃを、本体２の器とその蓋４で構成する。ただし、特に小さな釣り餌６等、釣り餌６の形状によっては蓋４に窪み４ｃをつける必要はない。
【手続補正７】
【補正対象書類名】明細書
【補正対象項目名】０００６
【補正方法】変更
【補正の内容】
【０００６】
その本体２の器と蓋４には釣り針５を通すにおいて、ぎりぎりの幅を有する切り［削除］通し溝２ｄと４ｄを設ける。
【手続補正８】
【補正対象書類名】明細書
【補正対象項目名】０００７
【補正方法】変更
【補正の内容】
【０００７】
本体２の器に設けられた窪み２ｃよりも深い切り［削除］通し溝２ｄは釣り餌６を貫いた釣り針５の針先を釣り餌６から貫き通すために設けられる。
【手続補正９】
【補正対象書類名】明細書
【補正対象項目名】０００８
【補正方法】変更
【補正の内容】
【０００８】
蓋４に設けられた切り［削除］通し溝４ｄは釣り針５の針先と古い釣り餌の残骸７よりも鉤元方向の部分との２カ所から通すことで釣り針５の方向を釣り餌６を貫く方向に安定させるとともに古い釣り餌の残骸７を削ぎ取るために設けられる。
【手続補正１０】
【補正対象書類名】明細書
【補正対象項目名】０００９
【補正方法】変更
【補正の内容】
【０００９】
本発明によれば、古い釣り餌の残骸７を簡単に削ぎ落とし、新しい釣り餌６を釣り針５に簡単につけることができる。特に氷上ワカサギ釣りの場合［削除］は、冬期の寒冷な環境での釣り餌６付けにきわめて有用である。
【手続補正１１】
【補正対象書類名】明細書
【補正対象項目名】００１１
【補正方法】変更
【補正の内容】
【００１１】
ワカサギ釣り用の仕掛けに新しい釣り餌６を付けるために、多様な形状のワカサギ釣り用の釣り餌６それぞれに合わせた形状の、かつ必要な釣り針数に合わせた数の餌置き用窪み２ｃを有する本体２を、釣り用餌箱等に取り付け［削除］て使用する。則ち釣り用餌箱等に取り付けられた差し替え用基礎部１に本体２を差し替え装着し［削除］て使用する。
その為に基本構成を差し替え用基礎部１と蓋付き本体２の２部分構成とする。
【手続補正１２】
【補正対象書類名】明細書
【補正対象項目名】００１２
【補正方法】変更
【補正の内容】
【００１２】
本体［削除］２の釣り餌６を置くための窪み［削除］２ｃには、窪み２ｃごとに釣り針５を通すための幅を有する切り［削除］通し溝２ｄを設ける。またそれぞれの蓋４にも、窪み２ｃの切り通し溝２ｄに合わせた、釣り針５を通すための幅を有する切り［削除］通し溝を設ける。
【手続補正１３】
【補正対象書類名】明細書
【補正対象項目名】００１３
【補正方法】変更
【補正の内容】
【００１３】
更にこの蓋には［削除］釣り餌を置くための窪みと同様の窪みを設け［削除］ても良い。
【手続補正１４】
【補正対象書類名】明細書
【補正対象項目名】００１４
【補正方法】変更
【補正の内容】
【００１４】
添付図面の図４の蓋４を取り付けるための棒３を図３の本体２の棒通し用穴２ｂと図５の蓋４の棒通し用穴４ｂを交互に貫く事で、図３の本体２に図５の蓋４を取り付ける。
【手続補正１５】
【補正対象書類名】明細書
【補正対象項目名】００１５
【補正方法】変更
【補正の内容】
【００１５】
次に図２の差し替え用基礎部１の突起１aに図３の本体２の溝２aを合わせるように図３の本体２を図２の差し替え用基礎部１に差し込み、図１の様に組み立てた状態で使用する。
【手続補正１６】
【補正対象書類名】明細書
【補正対象項目名】００１６
【補正方法】変更
【補正の内容】
【００１６】
使用方法を以下に説明する。釣り餌６を釣り針５に取り付けるには、まずピンセットなどで餌置き用窪み２ｃに釣り餌６を置き、逃げ出し防止と位置決めのために蓋４を閉める。 
【手続補正１７】
【補正対象書類名】明細書
【補正対象項目名】００１９
【補正方法】変更
【補正の内容】
【００１９】
以上、説明した様に、本発明は、ワカサギ釣りにおいて新旧釣り餌の付け替え作業性を良くする効果を有し、寒冷時などに小さな釣り餌を小さな釣り針に簡単に取り付ける釣り用餌付け補助［削除］具として有用である。
【手続補正書】
【提出日】平成22年2月23日(2010.2.23)
【手続補正１】
【補正対象書類名】特許請求の範囲
【補正対象項目名】請求項１
【補正方法】変更
【補正の内容】
【請求項１】
ワカサギ釣りにおいて、ワカサギ用釣り餌であるサシや赤虫などの大きさや形状に合わせて作られた釣り餌用受け皿としての餌置き用の１つ以上の窪みに、生きている釣り餌を１匹ずつ保持でき、各窪みの上部に跳ね上げ式の蓋を設けた本体部分を複数個順次に、餌箱等に取り付けられた差し替え用基礎部へ差し替えて使用することで、寒冷時においても、同種の釣り餌の新旧変更であっても異なる種類の釣り餌への変更であっても迅速に取り替え可能であり、かつ本体部分に設けた蓋には釣り針で釣り餌を刺し通した後、蓋を開けて釣り餌を取り出すときに蓋の切り通し溝により釣り針に付着した古い釣り餌を簡単に削ぎ取る機能を有し、本体部分の窪みには釣り餌用受け皿に釣り餌を釣り針で刺し通すための釣り針の先端部分を通す切り通し溝を有することを特徴とする釣り用餌付け補助具。
【手続補正３】
【補正対象書類名】明細書
【補正対象項目名】０００１
【補正方法】変更
【補正の内容】
【０００１】
本発明は、釣り針に釣り餌を保持する容具に係わり、ワカサギ用の釣り餌６の形状に合わせた釣り用餌付け補助具である。
【手続補正４】
【補正対象書類名】明細書
【補正対象項目名】０００２
【補正方法】変更
【補正の内容】
【０００２】
ワカサギ釣りにおいて、釣り糸に付けられた小さな釣り針５にワカサギ釣り用サシ、ラビット、赤虫等の小さな釣り餌６を１匹ずつ付ける作業は甚だ面倒であり、冬場はなお困難である。また先行する釣り用餌付け補助具においては釣り針５に残存した古い釣り餌の残骸７を取り除くのは難しい。
【手続補正５】
【補正対象書類名】明細書
【補正対象項目名】０００５
【補正方法】変更
【補正の内容】
【０００５】
本発明に係る釣り用餌付け補助具の器は、釣り餌６の形状に合わせた窪み２ｃと４ｃを、本体２の器とその蓋４で構成する。ただし、特に小さな釣り餌６等、釣り餌６の形状によっては蓋４に窪み４ｃをつける必要はない。
【手続補正６】
【補正対象書類名】明細書
【補正対象項目名】０００６
【補正方法】変更
【補正の内容】
【０００６】
その本体２の器と蓋４には釣り針５を通すにおいて、ぎりぎりの幅を有する切り通し溝２ｄと４ｄを設ける。
【手続補正７】
【補正対象書類名】明細書
【補正対象項目名】０００７
【補正方法】変更
【補正の内容】
【０００７】
本体２の器に設けられた窪み２ｃよりも深い切り通し溝２ｄは釣り餌６を貫いた釣り針５の針先を釣り餌６から貫き通すために設けられる。
【手続補正８】
【補正対象書類名】明細書
【補正対象項目名】０００８
【補正方法】変更
【補正の内容】
【０００８】
蓋４に設けられた切り通し溝４ｄは釣り針５の針先と古い釣り餌の残骸７よりも鉤元方向の部分との２カ所から通すことで釣り針５の方向を釣り餌６を貫く方向に安定させるとともに古い釣り餌の残骸７を削ぎ取るために設けられる。
【手続補正９】
【補正対象書類名】明細書
【補正対象項目名】０００９
【補正方法】変更
【補正の内容】
【０００９】
本発明によれば、古い釣り餌の残骸７を簡単に削ぎ落とし、新しい釣り餌６を釣り針５に簡単につけることができる。特に氷上ワカサギ釣りの場合は、冬期の寒冷な環境での釣り餌６付けにきわめて有用である。
【手続補正１０】
【補正対象書類名】明細書
【補正対象項目名】００１１
【補正方法】変更
【補正の内容】
【００１１】
ワカサギ釣り用の仕掛けに新しい釣り餌６を付けるために、多様な形状のワカサギ釣り用の釣り餌６それぞれに合わせた形状の、かつ必要な釣り針数に合わせた数の餌置き用窪み２ｃを有する本体２を、釣り用餌箱等に取り付けて使用する。則ち釣り用餌箱等に取り付けられた差し替え用基礎部１に本体２を差し替え装着して使用する。
その為に基本構成を差し替え用基礎部１と蓋付き本体２の２部分構成とする。
【手続補正１１】
【補正対象書類名】明細書
【補正対象項目名】００１２
【補正方法】変更
【補正の内容】
【００１２】
本体２の釣り餌６を置くための窪み２ｃには、窪み２ｃごとに釣り針５を通すための幅を有する切り通し溝２ｄを設ける。またそれぞれの蓋４にも、窪み２ｃの切り通し溝２ｄに合わせた、釣り針５を通すための幅を有する切り通し溝を設ける。
【手続補正１２】
【補正対象書類名】明細書
【補正対象項目名】００１３
【補正方法】変更
【補正の内容】
【００１３】
更にこの蓋には釣り餌を置くための窪みと同様の窪みを設けても良い。
【手続補正１３】
【補正対象書類名】明細書
【補正対象項目名】００１９
【補正方法】変更
【補正の内容】
【００１９】
以上、説明した様に、本発明は、ワカサギ釣りにおいて新旧釣り餌の付け替え作業性を良くする効果を有し、寒冷時などに小さな釣り餌を小さな釣り針に簡単に取り付ける釣り用餌付け補助具として有用である。